(57)【要約】【課題】股関節の屈伸に直接働きかける水泳用練習具を提供する。【解決手段】水泳練習用具（１０）は、使用者（２０）の上腿部（２１）に装着するようになっている板状部材（１１）を備える。板状部材（１１）は、長手方向の一端部（３０）よりも長手方向の他端部（３１）の方が、幅が広くなっている。【選択図】図１
2019209146.tif 000002
【特許請求の範囲】
【請求項１】
使用者の上腿部に装着するようになっている板状部材を備え、
該板状部材は、長手方向の一端部よりも長手方向の他端部の方が、水中にて得られる浮力が大きくなっていることを特徴とする水泳練習用具。
【請求項２】
前記板状部材は、前記一端部よりも前記他端部の方が、幅が広いことを特徴とする請求項１に記載の水泳練習用具。
【請求項３】
前記板状部材は、前記一端部よりも前記他端部の方が厚いことを特徴とする請求項１または２に記載の水泳練習用具。
【請求項４】
前記板状部材を前記上腿部に取り付けるための取付部材をさらに備えることを特徴とする請求項１から３までの何れか１項に記載の水泳練習用具。
【請求項５】
前記板状部材は、長手方向に沿った屈曲部にて屈曲していることを特徴とする請求項１から４までの何れか１項に記載の水泳練習用具。
【請求項６】
前記板状部材は、前記屈曲部の一方の側に位置する一側部よりも、前記屈曲部の他方の側に位置する他側部の方が、水中にて得られる浮力が大きくなっていることを特徴とする請求項５に記載の水泳練習用具。
【請求項７】
前記板状部材は、前記一端部および前記他端部よりも、前記一端部および前記他端部の間の中央部の方が幅が狭いことを特徴とする請求項１から６までの何れか１項に記載の水泳練習用具。
【発明の詳細な説明】
【技術分野】
【０００１】
本発明は、水泳練習用具に関する。
【背景技術】
【０００２】
上記水泳練習用具としては、ビート板、プルブイ、パドル、フィンなどが広く知られている。また、特許文献１には、使用者の足部の浮力を補強し、呼吸技巧、手部の動作技巧の学習、強度及び耐力の鍛練に利用される足挟持型水泳練習用具が開示されている。また、特許文献２には、浮力体を使用者の上半身部に装着して水泳の練習をできるようにした水泳用練習具が開示されている。
【先行技術文献】
【特許文献】
【０００３】
【特許文献１】登録実用新案第３０９５３４３号公報
【特許文献２】登録実用新案第３１２４５０１号公報
【発明の概要】
【発明が解決しようとする課題】
【０００４】
一般に、水泳のキックが上達すれば、水中の姿勢（ストリームライン）が良好となり、綺麗にかつ速く泳ぐことができると言われている。上記キックが上達するには、股関節、膝関節、および足関節の屈伸をどのように行い、どのように連動させるかを泳者が習得する必要がある。
【０００５】
上記キックを練習するための水泳練習用具の例としては、ビート板およびフィンが挙げられる。上記ビート板を用いた練習では、水中の姿勢は身体が反った姿勢となり、その結果、良好なストリームラインを得ることが困難である。また、上記股関節、上記膝関節、および上記足関節の屈伸に直接働きかけるものではない。また、上記フィンを用いた練習では、上記足関節の屈伸に直接働きかけるものであるが、上記股関節および上記膝関節の屈伸に直接働きかけるものではない。
【０００６】
本発明の一態様は、上記課題を解決するためになされたものであり、その目的は、股関節の屈伸に直接働きかける水泳用練習具を提供することにある。
【課題を解決するための手段】
【０００７】
上記の課題を解決するために、本発明の一態様に係る水泳練習用具は、使用者の上腿部に装着するようになっている板状部材を備え、該板状部材は、長手方向の一端部よりも長手方向の他端部の方が、水中にて得られる浮力が大きくなっていることを特徴としている。
【発明の効果】
【０００８】
本発明の一態様によれば、股関節の屈伸に直接働きかける水泳用練習具を提供することができる。
【図面の簡単な説明】
【０００９】
【図１】本発明の一実施形態に係る水泳練習用具を使用者に取り付けた状態の一例を示す正面図である。
【図２】上記水泳練習用具における２枚の板状部材の概要を示す斜視図である。
【図３】一方の上記板状部材の概要を示す三面図である。
【図４】上記構成の水泳練習用具を取り付けた使用者が水中で行うキック動作の一例を示す側面図である。
【図５】上記構成の水泳練習用具を取り付けた使用者が水中で行うキック動作の他の例を示す側面図である。
【図６】本発明の別の実施形態に係る水泳練習用具における板状部材の概要を示す三面図である。
【図７】本発明の他の実施形態に係る水泳練習用具における２枚の板状部材の概要を示す平面図である。
【図８】上記板状部材の概要を示す五面図である。
【発明を実施するための形態】
【００１０】
以下、本発明の実施の形態について、詳細に説明する。なお、説明の便宜上、各実施形態に示した部材と同一の機能を有する部材については、同一の符号を付記し、適宜その説明を省略する。
【００１１】
〔実施形態１〕
本発明の一実施形態について、図１〜図５を参照して説明する。
【００１２】
（水泳練習用具の概要）
図１は、本実施形態に係る水泳練習用具を使用者に装着した状態の一例を示す正面図である。図１に示すように、本実施形態の水泳練習用具１０は、２枚の板状部材１１ａ・１１ｂを備えており、該板状部材１１ａ・１１ｂは、使用者２０の右上腿部２１ａおよび左上腿部２１ｂの表面にそれぞれ取り付けられる。２枚の板状部材１１ａ・１１ｂの形状および構造は、互いに鏡像の関係となっている。なお、以下では、２枚の板状部材１１ａ・１１ｂを総称する場合には、「板状部材１１」と記載する。また、右上腿部２１ａおよび左上腿部２１ｂを総称する場合には、「上腿部２１」と記載する。その他の実施形態でも同様である。
【００１３】
板状部材１１は、ポリエチレンフォーム、ポリウレタンフォーム、ＥＶＡ（エチレン酢酸ビニル共重合体）フォーム、ＰＶＣ（ポリ塩化ビニル）など、水よりも密度が小さく、軽量であり、かつ、耐水性、可撓性、および弾性を有する材料で形成されることが望ましい。これにより、板状部材１１は、水に浮くことができ、携帯し易く、耐久性に優れ、上腿部２１に沿うように湾曲させることができ、破損を抑制でき、安全性に優れたものとなる。その結果、本実施形態の水泳練習用具１０は、従来のビート板、プルブイ等と同様に、プールで安全に利用することができる。
【００１４】
さらに、板状部材１１は、防水性を有することが望ましい。これにより、板状部材１１に水が浸透して重くなることを防止できる。また、板状部材１１は、表面が滑らかであることが望ましい。これにより、板状部材１１に働く水流の抵抗を減らすことができる。
【００１５】
本実施形態では、板状部材１１は、ゴムチューブ１２（図４および図５参照）で上腿部２１に取り付けられるが、これに限定されるものではない。任意の紐状部材または帯状部材で取り付けられてもよいし、帯状部材およびバックルで取り付けられてもよい。また、上腿部２１を覆うタイプの水着２２に、接着剤、ファスナー手段等で取り付けられてもよい。また、上腿部２１と水着２２との間に板状部材１１を挟んでもよい。
【００１６】
（板状部材の詳細）
図２は、２枚の板状部材１１ａ・１１ｂの概要を示す斜視図である。また、図３は、一方の板状部材１１ａの概要を示す三面図である。図２および図３に示すように、板状部材１１は、均等な厚さであり、長手方向の一端部３０よりも長手方向の他端部３１の方が広くなっている。
【００１７】
具体的には、一端部３０は、尖った形状となっており、他端部３１は、幅を有する形状となっている。一端部３０から他端部３１に向かうにつれて、一方の側が広がっていき、略中央にて幅が最大となり、それから上記一方の側が狭くなっていき、他端部３１に達している。
【００１８】
別の言い方をすれば、本実施形態の板状部材１１は、略長方形の板状部材から、一端部３０における中央部分および一側部分を切り欠き、かつ、他端部３１における一側部分を切り欠いた形状である。
【００１９】
板状部材１１は、長手方向の長さが上腿部２１の長手方向（大腿骨に沿う方向）の長さよりも短いことが望ましい。この場合、股関節および膝関節の屈伸を阻害することを回避できる。また、板状部材１１は、幅の最大値が上腿部２１の幅と同程度またはそれよりも狭いことが望ましい。この場合、板状部材１１が、使用者の腕、他方の上腿部２１、他方の板状部材１１、その他の部材と衝突する可能性を低減することができる。
【００２０】
板状部材１１には、ゴムチューブ１２（取付部材）が貫通する４つの孔部３２が適所に設けられている。各孔部３２は、上腿部２１が設けられる側である裏側よりも表側の方が狭くなっている。これにより、ゴムチューブ１２を孔部３２の裏側から表側に通し易くなる。また、孔部３２の裏側にて板状部材１１とゴムチューブ１２との間に遊びができるので、上腿部２１の動きに応じてゴムチューブ１２が容易に動くことができる。この結果、上腿部２１とゴムチューブ１２との摩擦が低減される。
【００２１】
なお、本実施形態の板状部材１１は、全体に丸みを帯びている。これにより、板状部材１１が、使用者その他の物体と衝突した時に破損することを抑制することができる。
【００２２】
図２および図３に示す板状部材１１は、図１に示すように、板状部材１１の一端部３０が上腿部２１の股関節側（上側）に位置し、板状部材１１の他端部３１が上腿部２１の膝関節側（下側）に位置するように、使用者２０の上腿部２１に取り付けられる。
【００２３】
キックの練習中、水は、使用者にとっては頭の側から足の側に流れることになり、板状部材１１にとっては、一端部３０の側から他端部３１の側に流れることになる。このとき、一端部３０が尖った形状であるため、板状部材１１に働く水流の抵抗を減らすことができる。
【００２４】
また、上腿部２１の上側かつ内側には、板状部材１１が設けられていないので、キック動作において板状部材１１が股部２３と衝突する可能性を抑制することができる。また、上腿部２１の下側かつ内側には、板状部材１１が設けられていないので、スムーズなキック動作を妨げる可能性を抑制することができる。
【００２５】
（キック動作の例）
図４は、上記構成の水泳練習用具１０を取り付けた使用者２０が水中で行うキック動作の一例を示す側面図である。図４の例では、クロールのキック動作を示しており、使用者２０は、伏臥状態で水に浮かんでいる。また、図４の（ａ）・（ｂ）は、キック動作のうち、蹴下げ動作および蹴上げ動作をそれぞれ示している。なお、図４の（ａ）では、蹴下げ動作前の位置を一点鎖線で示し、蹴下げ動作後の位置を実線で示している。また、図４の（ｂ）では、蹴上げ動作前の位置を実線で示し、蹴上げ動作後の位置を一点鎖線で示している。
【００２６】
図４に示すように、使用者２０が水に浮かぶと、水中にて得られる板状部材１１の浮力が上腿部２１に働く。板状部材１１は、一端部３０よりも他端部３１の方が幅が広いので、浮力が大きい。従って、板状部材１１から上腿部２１に働く力は、股関節側よりも膝関節側の方が大きくなる。
【００２７】
これにより、図４の（ａ）に示す蹴下げ動作を行う場合、上腿部２１において、股関節側よりも膝関節側の方に力を入れるように使用者２０に意識させることができる。従って、その後に使用者２０が水泳練習用具１０を外して上記蹴下げ動作を行うと、股関節を以前よりも大きく屈曲し易くなる。また、図４の（ｂ）に示す蹴上げ動作を行う場合、板状部材１１から上腿部２１に働く力は、股関節側よりも膝関節側の方が浮力が大きいので、股関節を以前よりも大きく伸展し易くなる。
【００２８】
以上より、本実施形態の水泳練習用具１０は、股関節の屈伸に直接働きかけることができる。その結果、上記キック動作を上達することができる。また、板状部材１１から上腿部２１に働く力により、使用者２０の腰部の位置を上昇させることができ、水面から露出する身体部分を増加することができる。その結果、水の抵抗の少ない泳ぎを使用者２０に実感させることができる。
【００２９】
図５は、上記構成の水泳練習用具１０を取り付けた使用者２０が水中で行うキック動作の他の例を示す側面図である。図５の例では、背泳ぎのキック動作を示しており、使用者２０は、仰臥状態で水に浮かんでいる。なお、図５では、蹴上げ動作前の位置を実線で示し、蹴上げ動作中および蹴上げ動作後の位置を一点鎖線で示している。
【００３０】
図５に示すキック動作の場合でも、図４に示すキック動作の場合と同様に、水泳練習用具１０は、股関節の屈伸に直接働きかけることができる。その結果、上記キック動作を上達することができる。
【００３１】
なお、板状部材１１は、キックの練習中に常に水中にあって浮力が働くことが望ましい。このため、板状部材１１は、上腿部２１において、水面とは反対の側（例えばプールの底面の側）に設けられることが望ましい。具体的には、図４に示すように、使用者２０が伏臥状態でキックを練習する場合、使用者２０の上腿部２１の前面に板状部材１１を取り付けることが望ましい。一方、図５に示すように、使用者２０が仰臥状態でキックを練習する場合、使用者２０の上腿部２１の背面に板状部材１１を取り付けることが望ましい。本実施形態のように、板状部材１１をゴムチューブ１２で上腿部２１に取り付けられている場合、練習の内容に合わせて、板状部材１１を上腿部２１の適当な位置に容易に移動させることができる。
【００３２】
〔実施形態２〕
本発明の別の実施形態について、図６を参照して説明する。
【００３３】
図６は、本実施形態に係る水泳練習用具における板状部材の概要を示す三面図である。図６に示す水泳練習用具４０は、図１〜図５に示す水泳練習用具１０に比べて、板状部材の形状が異なり、その他の構成は同様である。
【００３４】
図６に示すように、本実施形態の板状部材４１は、平面視の形状が略長方形であり、幅が均等であり、長手方向の一端部４２よりも長手方向の他端部４３の方が厚くなっている。具体的には、一端部４２および他端部４３は平坦状であり、一端部４２から他端部４３に向かうにつれて、厚さが増加している。また、板状部材４１の４隅には、ゴムチューブ１２が貫通する４つの孔部４４が適所に設けられている。
【００３５】
本実施形態の板状部材４１は、一端部４２よりも他端部４３の方が厚いので、浮力が大きくなる。従って、板状部材４１の一端部４２を上腿部２１の股関節側に、板状部材４１の他端部４３を上腿部２１の膝関節側に取り付けることにより、本実施形態の水泳練習用具４０は、図１〜図５に示す水泳練習用具１０と同様に、股関節の屈伸に直接働きかけることができる。その結果、上記キック動作を上達することができる。また、本実施形態の板状部材４１は、左右対称であるため、同じ形状の板状部材４１・４１を左右の上腿部２１ａ・２１ｂに取り付けることができる。その結果、製造コストを低減することができる。なお、本実施形態では、板状部材１１の上面は、傾斜面となっているが、階段状でもよい。
【００３６】
〔実施形態３〕
本発明の他の実施形態について、図７および図８を参照して説明する。
【００３７】
図７は、本実施形態に係る水泳練習用具における２枚の板状部材の概要を示す平面図である。また、図８は、一方の板状部材の概要を示す五面図である。
【００３８】
図７および図８に示す水泳練習用具５０は、図１〜図５に示す水泳練習用具１０に比べて、板状部材の形状と取付部材が異なり、その他の構成は同様である。
【００３９】
図７に示すように、本実施形態の水泳練習用具５０は、２枚の板状部材５１ａ・５１ｂを備えている。該板状部材５１ａ・５１ｂは、図１に示す使用者２０の右上腿部２１ａおよび左上腿部２１ｂの表面にそれぞれ取り付けられる。図７および図８に示すように、板状部材５１は、均等な厚さであり、長手方向の一端部５２よりも長手方向の他端部５３の方が、幅が広くなっている。
【００４０】
本実施形態では、取付部材としてゴムベルト（図示せず）を利用している。上記ゴムベルトは帯状であるため、板状部材５１には、上記ゴムベルトが貫通する４つの長孔部５４が適所に設けられている。上記ゴムベルトを利用することにより、取付部材による上腿部２１への圧迫を低減することができる。
【００４１】
また、板状部材５１は、長手方向に沿った屈曲部５５にて屈曲している。すなわち、板状部材５１は、屈曲部５５と、屈曲部５５の両側にそれぞれ位置する一側部５６および他側部５７とを含む。屈曲部５５により、板状部材５１が上腿部２１に密着する度合いが向上する。なお、屈曲角αは、１００°以上１４０°以下であることが望ましく、１１０°以上１３０°以下であることがより望ましく、略１２０°であることがより望ましい。なお、屈曲部５５は、屈曲している代わりに湾曲していてもよい。
【００４２】
また、板状部材５１は、一側部５６よりも他側部５７の方が、面積が大きくなっている。一側部５６を上腿部２１の外側に配置し、他側部５７を上腿部２１の内側に配置して、板状部材５１を上腿部２１に取り付けることにより、板状部材５１から上腿部２１に働く力は、外側よりも内側の方が大きくなる。その結果、上腿部２１の内転筋を効果的に鍛えることができ、水泳のキックを効果的に上達させることができる。
【００４３】
また、本実施形態では、板状部材５１は、一端部５２および他端部５３よりも中央部５８の方が、幅が狭くなっている。これにより、中央部５８の両側が上腿部２１に密着する度合いが向上する。その結果、中央部５８の両側と上腿部２１との間から水が流入して、板状部材５１と上腿部２１との間に水が滞留することを防止することができる。
【００４４】
（付記事項）
上記実施形態では、２つの板状部材１１（４１・５１）を両方の上腿部２１にそれぞれ取り付けているが、１つの板状部材１１（４１・５１）のみを片方の上腿部２１に取り付けてもよい。また、複数の板状部材１１（４１・５１）を片方の上腿部２１に取り付けてもよい。
【００４５】
また、人によって上腿部２１の大きさが異なるので、数種類のサイズの板状部材１１４１・５１を製造することが望ましい。
【００４６】
また、板状部材は、一端部の材料よりも浮力が大きい材料を他端部に利用してもよい。この場合、幅を変更したり、厚さを変更したりする必要が無い。なお、材料の変更、幅の変更、および厚さの変更の少なくとも２つを組み合わせてもよい。
【００４７】
また、上記実施形態の水泳練習用具１０（４０・５０）を、上腿部２１に代えて上腕部に設けてもよい。この場合、板状部材１１（４１・５１）の一端部が、上腕部の肩関節側に位置し、板状部材１１（４１・５１）の他端部が上腕部の肘関節側に位置するように、使用者２０の上腕部に取り付ければよい。これにより、肩関節の動きに直接働きかけることができる。
【００４８】
また、上記実施形態の水泳練習用具１０（４０・５０）を、上腿部２１に代えて前腕部に設けてもよい。この場合、板状部材１１（４１・５１）の一端部が、前腕部の肘関節側に位置し、板状部材１１（４１・５１）の他端部が前腕部の手首側に位置するように、使用者２０の前腕部に取り付ければよい。これにより、肘関節の屈伸の直接働きかけることができる。
【００４９】
〔まとめ〕
本発明の一態様に係る水泳練習用具は、使用者の上腿部に装着するようになっている板状部材を備え、該板状部材は、長手方向の一端部よりも長手方向の他端部の方が、浮力が大きくなっている構成である。
【００５０】
上記構成の水泳練習用具において、板状部材を使用者の上腿部に装着する。このとき、上記板状部材は、長手方向の一端部が上記上腿部の股関節側となり、上記長手方向の他端部が上記上腿部の膝関節側となるように配置される。そして、上記使用者が水に浮かぶと、上記板状部材の浮力が上記上腿部に働き、当該浮力は、股関節側よりも膝関節側の方が大きくなる。
【００５１】
これにより、上記使用者が、キック動作のうち、蹴下げ動作を行う場合、上記上腿部において、股関節側よりも膝関節側の方に力を入れるように上記使用者に意識させることができる。その後に上記使用者が上記水泳練習用具を外して上記蹴下げ動作を行うと、股関節を以前よりも大きく屈曲し易くなる。また、上記使用者が、キック動作のうち、蹴上げ動作を行う場合、上記上腿部において、股関節側よりも膝関節側の方が浮力が大きいので、股関節を以前よりも大きく伸展し易くなる。
【００５２】
以上より、上記水泳練習用具は、上記股関節の屈伸に直接働きかけることができる。その結果、上記キック動作を上達することができる。
【００５３】
なお、浮力を大きくするには、前記板状部材について、前記一端部よりも前記他端部の方の幅を広くすればよい。また、前記一端部よりも前記他端部の方を厚くすればよい。また、これらを組み合わせてもよい。なお、上記板状部材の厚さは、上記一端部から上記他端部に向かうにつれて連続的に厚くなってもよいし、段階的に厚くなってもよい。
【００５４】
また、前記板状部材を前記上腿部に取り付けるための取付部材をさらに備えることが好ましい。
【００５５】
また、前記板状部材は、長手方向に沿った屈曲部にて屈曲していることが好ましい。この場合、前記板状部材が上腿部に密着する度合いが向上する。
【００５６】
さらに、前記板状部材は、前記屈曲部の一方の側に位置する一側部よりも、前記屈曲部の他方の側に位置する他側部の方が、水中にて得られる浮力が大きくなっていることが好ましい。この場合、前記一側部を前記上腿部の外側に配置し、前記他側部を前記上腿部の内側に密着するように、前記板状部材を前記上腿部に取り付けることにより、前記板状部材から前記上腿部に働く力は、外側よりも内側の方が大きくなる。その結果、前記上腿部の内転筋を効果的に鍛えることができ、水泳のキックを効果的に上達させることができる。
【００５７】
なお、浮力を大きくするには、前記板状部材について、前記一側部よりも前記他側部の方が、面積を大きくすればよい。また、前記一側部よりも前記他側部の方を厚くすればよい。また、これらを組み合わせてもよい。なお、上記板状部材の厚さは、上記一側部から上記他側部に向かうにつれて連続的に厚くなってもよいし、段階的に厚くなってもよい。
【００５８】
また、前記板状部材は、前記一端部および前記他端部よりも、前記一端部および前記他端部の間の中央部の方が幅が狭いことが好ましい。この場合、前記中央部の両側が前記上腿部に密着する度合いが向上するので、前記中央部の両側と前記上腿部との間から水が流入して、前記板状部材と前記上腿部との間に水が滞留することを防止することができる。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６０】
１０、４０、５０  水泳練習用具
１１、１１ａ、１１ｂ、４１  板状部材
１２  ゴムチューブ（取付部材）
２０  使用者
２１  上腿部
２１ａ  右上腿部
２１ｂ  左上腿部
２２  水着
２３  股部
３０、４２、５２  一端部
３１、４３、５３  他端部
３２、４４  孔部
５１、５１ａ、５１ｂ  板状部材
５４  長孔部
５５  屈曲部
５６  一側部
５７  他側部
５８  中央部
【図１】
2019209146.tif 000003
【図２】
2019209146.tif 000004
【図３】
2019209146.tif 000005
【図４】
2019209146.tif 000006
【図５】
2019209146.tif 000007
【図６】
2019209146.tif 000008
【図７】
2019209146.tif 000009
【図８】
2019209146.tif 000010